【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
ユーザによる第１の入力フォームへの入力の破棄を検出する検出部、
前記破棄が検出された前記第１の入力フォームの入力条件を緩和した第２の入力フォームを生成する生成部、
前記ユーザからの要求に対して、前記第２の入力フォームを送信する送信部
を備えることを特徴とする情報処理システム。
【請求項２】
請求項１に記載の情報処理システムであって、
前記生成部は、前記第１の入力フォームへの入力の状況を取得し、前記取得された入力の状況から推定される前記破棄の原因に基づいて、前記第１の入力フォームの入力条件を緩和した前記第２の入力フォームを生成する
ことを特徴とする情報処理システム。
【請求項３】
請求項２に記載の情報処理システムであって、
前記入力フォームは複数の入力欄を含み、
前記生成部は、前記破棄の原因と推定される入力欄の設定を変更して、前記第２の入力フォームを生成する
ことを特徴とする情報処理システム。
【請求項４】
請求項２又は３に記載の情報処理システムであって、
前記入力フォームは複数の入力欄を含み、
前記生成部は、前記破棄の原因と推定される入力欄に設定された制限を緩和して、前記第２の入力フォームを生成する
ことを特徴とする情報処理システム。
【請求項５】
請求項２乃至４のいずれか１項に記載の情報処理システムであって、
前記入力フォームは複数の入力欄を含み、
前記生成部は、前記破棄の原因が前記第１の入力フォームへの入力の負担と推定されれば、前記入力欄のうち入力が必須の入力欄の設定を変更して、前記第２の入力フォームを生成する
ことを特徴とする情報処理システム。
【請求項６】
請求項３に記載の情報処理システムであって、
前記生成部は、前記第２の入力フォームにおいて、前記破棄の原因と推定される入力欄を削除、当該入力欄への情報の入力を省略可能に変更、当該入力欄を選択形式に変更、当該入力欄へ入力を要する文字数の制限を緩和、当該入力欄の入力順を上位に変更、又は、当該入力欄が配置される位置を上方に変更、の少なくとも一つを行うことにより、前記第２の入力フォームを生成する
ことを特徴とする情報処理システム。
【請求項７】
請求項４に記載の情報処理システムであって、
前記生成部は、前記第２の入力フォームにおいて、前記破棄の原因と推定される入力欄の制限を選択形式に変更、又は、当該制限に係る入力欄への入力可能な文字数の制限を緩和、の少なくとも一つを行うことにより、前記第２の入力フォームを生成する
ことを特徴とする情報処理システム。
【請求項８】
請求項５に記載の情報処理システムであって、
前記生成部は、前記第２の入力フォームにおいて、前記入力が必須の入力欄のうち所定の入力欄を削除、当該所定の入力欄への情報の入力を省略可能に変更、当該所定の入力欄を選択形式に変更、当該所定の入力欄へ入力を要する文字数の制限を緩和、当該所定の入力欄の入力順を所定の基準に従い上位に変更、又は、当該所定の入力欄が配置される位置を所定の基準に従い上方に変更、の少なくとも一つを行うことにより、前記第２の入力フォームを生成する
ことを特徴とする情報処理システム。
【請求項９】
請求項３又は６に記載の情報処理システムであって、
前記生成部は、入力が破棄される直前に入力されていた入力欄を、前記破棄の原因として推定する
ことを特徴とする情報処理システム。
【請求項１０】
請求項３又は６に記載の情報処理システムであって、
前記生成部は、情報が入力されなかった入力欄を、前記破棄の原因と推定する
ことを特徴とする情報処理システム。
【請求項１１】
請求項４又は７に記載の情報処理システムであって、
前記生成部は、情報が入力されなかった入力欄の制限を、前記破棄の原因と推定する
ことを特徴とする情報処理システム。
【請求項１２】
請求項４又は７に記載の情報処理システムであって、
前記生成部は、入力に要した時間が所定の閾時間より長い入力欄の制限を、前記破棄の原因と推定する
ことを特徴とする情報処理システム。
【請求項１３】
請求項２乃至１２のいずれか１項に記載の情報処理システムであって、
前記生成部は、
前記複数の入力欄のそれぞれに設定される欄属性に基づいて前記入力フォームを生成し、
前記入力フォームへ入力を開始しようとするユーザの入力の状況を取得できない場合、前記欄属性の初期値に基づいて前記入力フォームを生成し、
前記入力フォームへ入力を開始しようとするユーザの入力の状況を取得できる場合、当該入力の状況に基づいて前記欄属性の初期値を修正し、当該修正した欄属性に基づいて前記入力フォームを生成する
ことを特徴とする情報処理システム。
【請求項１４】
請求項２乃至１２のいずれか１項に記載の情報処理システムであって、
前記生成部は、
前記複数の入力欄のそれぞれに設定される欄属性であって、前記入力フォームへ入力を開始しようとするユーザに対応付けられる欄属性に基づいて、当該入力フォームを生成し、
前記入力フォームへ入力を開始しようとするユーザに対応づけられた欄属性を取得できない場合、前記欄属性の初期値に基づいて前記入力フォームを生成し、
前記入力フォームへ入力を開始しようとするユーザに対応づけられた欄属性を取得できる場合、当該欄属性に基づいて前記入力フォームを生成する
ことを特徴とする情報処理システム。
【請求項１５】
請求項１４に記載の情報処理システムであって、
前記ユーザによる入力が破棄されると当該ユーザの入力の状況を取得し、当該入力の状況に基づいて、前記複数の入力欄のそれぞれに設定される、当該ユーザに対応付けられる欄属性を更新する更新部
をさらに備えることを特徴とする情報処理システム。
【請求項１６】
請求項１３乃至１５のいずれか１項に記載の情報処理システムであって、
前記欄属性には、当該入力欄が前記入力フォームに配置される位置、当該入力欄の前記入力フォームにおける入力順、当該入力欄へ入力を要する文字数、当該入力欄が自由入力欄と選択肢入力欄のいずれであるか、当該入力欄に対する情報の入力を省略可能とするか否か、当該入力欄を前記入力フォームに含めるか否か、の少なくとも一つが含まれる
ことを特徴とする情報処理システム。
【請求項１７】
請求項１５又は１６に記載の情報処理システムであって、
前記更新部は、当該情報処理システムにおいて過去に入力を終了したユーザのそれぞれの入力の状況に基づいて前記欄属性の初期値を更新し、
前記生成部は、前記入力フォームへ入力を開始しようとするユーザの入力の状況を取得できない場合、前記更新された欄属性の初期値に基づいて前記入力フォームを生成する
ことを特徴とする情報処理システム。
【請求項１８】
請求項１５又は１６に記載の情報処理システムであって、
前記更新部は、当該情報処理システムにおいて過去に入力を終了したユーザのそれぞれの欄属性の更新状況に基づいて前記欄属性の初期値を更新し、
前記生成部は、前記入力フォームへ入力を開始しようとするユーザの入力の状況を取得できない場合、前記更新された欄属性の初期値に基づいて前記入力フォームを生成する
ことを特徴とする情報処理システム。
【請求項１９】
ユーザによる第１の入力フォームへの入力の破棄を検出する検出工程、
前記破棄が検出された前記第１の入力フォームの入力条件を緩和した第２の入力フォームを生成する生成工程、
前記ユーザからの要求に対して、前記第２の入力フォームを送信する送信工程
を備えることを特徴とする情報処理システムの処理方法。
【請求項２０】
コンピュータを、
ユーザによる第１の入力フォームへの入力の破棄を検出する検出部、
前記破棄が検出された前記第１の入力フォームの入力条件を緩和した第２の入力フォームを生成する生成部、
前記ユーザからの要求に対して、前記第２の入力フォームを送信する送信部
として機能させることを特徴とするプログラム。
【請求項２１】
コンピュータを、
ユーザによる第１の入力フォームへの入力の破棄を検出する検出部、
前記破棄が検出された前記第１の入力フォームの入力条件を緩和した第２の入力フォームを生成する生成部、
前記ユーザからの要求に対して、前記第２の入力フォームを送信する送信部
として機能させることを特徴とするプログラムを記録したコンピュータ読み取り可能な記録媒体。